(57)【要約】  好ましくは医薬品向けである、収容装置（１００）が開示される。収容装置は、容器本体（１１０）と、ＮＦＣアンテナ（１４１）を含むＮＦＣシステム（２１０）で構成された第１の無線通信システム（２１０）とを含む。収容装置は、第１の無線通信システム（２１０）の標準化された操作可能性を阻害するプリセット状態を含むように構成された、第１および／または第２の感知・切替え装置（１４３、２８０）をさらに含む。第１の感知・切替え装置（１４３）は、最初の開放イベントの際にそのプリセット状態を解除するように構成され、第２の感知・切替え装置（２８０）は、取出しイベントの際にそのプリセット状態を解除するように構成される。
2019520621.tif 000002
【特許請求の範囲】
【請求項１】
固体物質または液体を受け入れる内部を備える容器本体（１１０）と、
１つまたは複数の巻線の形で配置された導体（１４５）によって形成された近距離（ＮＦＣ）アンテナ（１４１）と、コントローラ（６００）と、データ記憶領域（６７０）とを含む近距離無線通信システム（ＮＦＣ）で構成された、第１の無線通信システム（２１０）と、
第１の感知・切替え装置（１４３）および／または第２の感知・切替え装置（２８０）と
を備え、
前記第１の感知・切替え装置（１４３）が、前記第１の無線通信システム（２１０）の主要動作モードを無効にする第１のプリセット状態を含むように構成され、前記第１の感知・切替え装置（１４３）が、前記容器本体（１１０）のアパーチャ（１２６）を一番最初に開放することによって好ましくは始動される最初の開放イベントの際に、前記第１のプリセット状態を、好ましくは不可逆的に解除するように構成され、
前記第２の感知・切替え装置（２８０）が、前記第１の無線通信システム（２１０）の前記主要動作モードを無効にする第２のプリセット状態を含むように構成され、前記第２の感知・切替え装置（２８０）が、取出しイベントの際に前記第２のプリセット状態を解除するように構成された、好ましくは医薬品向けの、前記収容装置（１００）。
【請求項２】
前記第１のプリセット状態および／または前記第２のプリセット状態が、前記近距離（ＮＦＣ）アンテナ（１４１）または前記近距離無線通信システム（ＮＦＣ）の完全に無効にされた操作可能性を含む、請求項１に記載の収容装置（１００）。
【請求項３】
前記第１のプリセット状態および／または前記第２のプリセット状態が、前記近距離（ＮＦＣ）アンテナまたは前記近距離無線通信システム（ＮＦＣ）の代替動作モードを、好ましくは非標準化動作モードを有効にすることを含む、請求項１に記載の収容装置（１００）。
【請求項４】
前記第１のプリセット状態または前記第２のプリセット状態が、前記データ記憶領域（６７０）に対する前記コントローラ（６００）の無効にされたアクセス可能性を含み、好ましくは、前記近距離無線通信システム（ＮＦＣ）が、前記データ記憶領域（６７０）とは異なるさらなるデータ記憶領域（６８０）を含み、前記さらなるデータ記憶領域に対するアクセス可能性が、前記データ記憶領域（６７０）に対するアクセス可能性が無効にされたときに有効にされ、前記さらなるデータ記憶領域に対するアクセス可能性が、前記データ記憶領域（６７０）に対するアクセス可能性が有効にされたときに無効にされる、請求項１に記載の収容装置（１００）。
【請求項５】
前記第１の感知・切替え装置（１４３）が、前記最初の開放時に破断する破断可能な導電性ループ（１４３）を備える、請求項１から４のいずれか一項に記載の収容装置（１００）。
【請求項６】
前記第１の感知・切替え装置（１４３）が、前記近距離（ＮＦＣ）アンテナ（１４１）に並列に接続された破断可能な導電性ループ（１４３）を備え、前記アパーチャ（１２６）の最初の開放によって前記破断可能な導電性ループ（１４３）が破断するように配設される、請求項１から３のいずれか一項に記載の収容装置（１００）。
【請求項７】
前記破断可能な導電性ループ（１４３）が、電子構成部品（２７０）、または前記破断可能な導電性ループ（１４３）においてループ状にされた１つを超える電子構成部品で構成された回路を備え、前記電子構成部品（２７０）または前記回路により、近距離無線通信（ＮＦＣ）規格によって提案される範囲外、好ましくはＮＦＣ範囲外の領域にある、前記近距離（ＮＦＣ）アンテナ（１４１）の共鳴周波数をシフトする、請求項６に記載の収容装置（１００）。
【請求項８】
前記破断可能な導電性ループ（１４３）が、破断可能な導体の１つまたは複数の巻線、好ましくは補助近距離(ＮＦＣ)アンテナを形成する複数の巻線を備える、請求項６または７に記載の収容装置（１００）。
【請求項９】
前記第１の感知・切替え装置（１４３）が、一端で、前記データ記憶領域（６７０）および／またはさらなるデータ記憶領域（６８０）の選択接続ライン（６５０）に、好ましくは前記データ記憶領域（６７０）および／またはさらなるデータ記憶領域（６８０）のアドレス接続ライン（６５０）に接続された破断可能な導電性ループ（１４３）を備え、最初の開放によって前記破断可能な導電性ループ（１４３）を破断するように配設された、請求項４に記載の収容装置（１００）。
【請求項１０】
前記第２の感知・切替え装置（２８０）が、前記容器内部からの最初の取出し動作によってのみ前記取出しイベントが始動されるように、または前記容器内部からの前記最初の取出し動作およびその後のいずれかの取出し動作によって前記取出しイベントがそれぞれ始動されるように構成された、請求項１から９のいずれか一項に記載の収容装置（１００）。
【請求項１１】
前記第２の感知・切替え装置（２８０）が、前記近距離（ＮＦＣ）アンテナ（１４１）の前記導体（１４５）へとループ状にされた接触スイッチ（２８０）を備え、
前記接触スイッチ（２８０）が、取出し動作のために機械的力が掛けられると回路を閉路するように構成された、請求項１から３のいずれか一項に記載の収容装置（１００）。
【請求項１２】
前記第２の感知・切替え装置（２８０）が、前記データ記憶領域（６７０）および／またはさらなるデータ記憶領域（６８０）の選択接続ライン（６５０）に、好ましくは前記データ記憶領域（６７０）および／またはさらなるデータ記憶領域（６８０）のアドレス接続ライン（６５０）に接続された、接触スイッチ（２８０）を備え、
前記接触スイッチ（２８０）が、取出しのために機械的力が掛けられると回路を閉路または開路するように構成された、請求項４に記載の収容装置（１００）。
【請求項１３】
さらなる導体によって形成されるさらなる近距離（ＮＦＣ）アンテナ（５３０）を含むさらなる近距離(ＮＦＣ)通信システム（５１０）を備えるさらなる無線通信システム（５２０）と、
前記さらなる無線通信システム（５２０）の操作可能性を有効にするプリセット状態を含むように構成された、第３の感知・切替え装置（５４０）であって、最初の開放イベントまたは取出しイベントの際に前記プリセット状態を、好ましくは不可逆的に解除するように構成され、好ましくは、最初の開放または取出しによってさらなる破断可能な導電性ループ（５４０）を破断するように配設された、前記さらなる破断可能な導電性ループ（５４０）を備える、第３の感知・切替え装置（５４０）と
をさらに含む、請求項２に記載の収容装置。
【請求項１４】
無効にされた操作可能性のプリセット状態を含むように構成された、第２の無線通信システム（４３０）をさらに備え、
前記第１の無線通信システム（２１０）が、前記主要動作モードのとき、前記第２の無線通信システム（４３０）の前記プリセット状態を解除するように構成され、好ましくは、前記第１の無線通信システム（２１０）が、前記第２の無線通信システム（４３０）の前記プリセット状態を不可逆的に、または前記第１の無線通信システム（２１０）によって決定される期間の間だけ、または前記主要動作モードが有効にされる期間の間だけ、解除するように構成された、請求項１から１３のいずれか一項に記載の収容装置。
【請求項１５】
前記第２の無線通信システム（４３０）が、ＩＥＥＥ  ８０２．１１（無線ＬＡＮ）システム、またはデジタルマルチプレクサ（ＤＭＸ）インターフェースシステム、またはデジタル調光照明インターフェース（ＤＡＬＩ）システム、またはＺｉｇＢｅｅ（登録商標）システム、または好ましくはブルートゥース（登録商標）ローエナジー（ＢＴＬＥ）システムとして構成されたブルートゥースシステムのうち少なくとも１つを含む、請求項１４に記載の収容装置（１００）。
【請求項１６】
エネルギー蓄積素子（４２０）をさらに備え、前記第２の無線通信システム（４３０）が、前記エネルギー蓄積素子（４２０）によって電力供給されるように構成された、請求項１４または１５に記載の収容装置（１００）。
【請求項１７】
少なくとも前記第１の無線通信システム（２１０）が、ＲＦＩＤラベル（１４０）を形成するキャリア層（１４２）上に置かれる、請求項１から１６のいずれか一項に記載の収容装置（１００）。
【請求項１８】
容器本体（１１０）と、近距離無線通信システム（ＮＦＣ）で構成された第１の無線通信システム（２１０）と、前記第１の無線通信システム（２１０）の主要動作モードを無効にする第１のプリセット状態を含む第１の感知・切替え装置（１４３）および／または前記第１の無線通信システム（２１０）の前記主要動作モードを無効にする第２のプリセット状態を含む第２の感知・切替え装置（２８０）とを有する、好ましくは医薬品向けの、収容装置（１００）の無線通信システムを操作する方法であって、
好ましくは前記容器本体（１１０）のアパーチャ（１２６）の一番最初の開放によって始動される最初の開放イベントの際に、好ましくは不可逆的に、前記第１の感知・切替え装置（１４３）の前記第１のプリセット状態を解除するステップ、および／または、
取出しイベントの際に、前記第２の感知・切替え装置（２８０）の前記第２のプリセット状態を解除するステップ
を含む、方法。
【発明の詳細な説明】
【技術分野】
【０００１】
本発明は、一般に、収容装置に関し、特に、医薬品を収容または分配する収容装置に関する。収容装置は、無線通信デバイスを備え、製品の非接触認証および追跡に有用である。
【背景技術】
【０００２】
非接触認証のため、ＮＦＣとも呼ばれる「近距離通信」の技術が提案されてきた。近距離無線通信（ＮＦＣ）は、家庭用電子製品、モバイルデバイス、およびＰＣにおけるインタラクティブな利用向けに開発されてきた短距離無線通信技術である。この技術は、近接している２つのデバイス間でのデータの交換を可能にするものであり、「無線周波数識別デバイス（ＲＦＩＤ）」に関する近接型カード規格の拡張である。
【０００３】
ＮＦＣベースの通信は、２つのＮＦＣ実体間で確立されてもよく、一方は、製品に取り付けられた非接触タグとして働き、他方は、固定デバイスに、またはモバイルデバイス、例えば、スマートフォンにすら埋め込まれ得る、非接触ＮＦＣリーダ／ライタとして働く。ＲＦＩＤラベル上のＮＦＣエンティティから読み取られ、またはＮＦＣエンティティに対して書き込まれ得るデータ記憶容量は膨大であるが、ＮＦＣ用のＲＦＩＤラベルは、単純であってバッテリ電力が不要なことから、非常に小さく安価にすることができる。
【０００４】
ＲＦＩＤラベルを保持する収容装置は、一意の識別番号（ＩＤ）、製品タイプ、製造日、貯蔵寿命、製造場所などの製品関連情報を、ＲＦＩＤラベル上のＮＦＣデバイスに書き込むことによって、製造場所において自動的にまたは手動で個別化することができる。医薬品に関しては、この情報を、例えば貯蔵寿命をチェックするため、薬局で読み取って確認することができる。例えば、貯蔵場所から取り出した日や、患者の名前、生年月日などの患者の詳細といったさらなる情報を、ＮＦＣデバイスに書き込むことによって追加することができる。
【０００５】
欧州特許第１４０２４７０号明細書は、医療用容器に取り付けられたＲＦＩＤラベルについて開示しており、ＲＦＩＤラベルは、ＮＦＣ実体を表し、正方形のアンテナの中央に位置する集積回路と、製造後に容器を最初に開いたときに破断するＲＡＩＤシールとしての、容器に取り付けられた剥離式または切取り式カバーの上に置かれた破断可能な導電性ループとを備える。導電性ループの中断は、医療用容器のＲＦＩＤラベルと対通信しているとき、非接触ＮＦＣリーダ／ライタによって検出可能である。
【０００６】
さらに、製品が最初に開かれた後にＲＦＩＤラベルに保持されているデータが読み取られないようにする、いわゆる「不正開封防止（tamper-evidence）」の機能性を有するＲＦＩＤラベルが知られている。この処置は、製品が開かれたときにＲＦＩＤアンテナが破断されることによって達成される。
【０００７】
しかしながら、実際には、開かれた後のＲＦＩＤラベルに保持されているデータに対するアクセス可能性を無効にすることは、１つを超える単位の固体物質または液体用量を収容しているレセプタクルに関して、適切な解決策ではないことが示されている。他方で、承認されていない人、例えば配送を依頼された人員によってデータが読取り可能なことは、重大であることが分かっている。
【０００８】
上記のことを鑑みて、上述の制限を克服するための解決策が求められていた。
【発明の概要】
【課題を解決するための手段】
【０００９】
様々な実施形態において、好ましくは医薬品向けの収容装置が開示される。さらなる実施形態では、収容装置は、固体物質または液体を受け入れる内部を含む容器本体と、１つまたは複数の巻線の形で配置された導体によって形成された近距離（ＮＦＣ）アンテナ、コントローラ、およびデータ記憶領域を含む近距離無線通信システム（ＮＦＣ）で構成された、第１の無線通信システムとを備える。収容装置は、第１の感知・切替え装置および／または第２の感知・切替え装置をさらに備える。第１の感知・切替え装置は、第１の無線通信システムの主要動作モードを無効にする第１のプリセット状態を含むように構成され、第１の感知・切替え装置は、容器本体のアパーチャを一番最初に開放することによって好ましくは始動される最初の開放イベントの際に、その第１のプリセット状態を解除するように、好ましくは不可逆的に解除するように構成される。第２の感知・切替え装置は、第１の無線通信システムの主要動作モードを無効にする第２のプリセット状態を含むように構成され、第２の感知・切替え装置は、取出しイベントの際にその第２のプリセット状態を解除するように構成される。さらなる実施形態では、第２の感知・切替え装置は、取出しイベントの持続時間の間のみ、その第２のプリセット状態を解除するように構成される。
【００１０】
さらなる他の実施形態では、第１のプリセット状態および／または第２のプリセット状態は、近距離（ＮＦＣ）アンテナまたは近距離無線通信システム（ＮＦＣ）の完全に無効にされた操作可能性を含む。
【００１１】
他の実施形態では、第１のプリセット状態および／または第２のプリセット状態は、近距離（ＮＦＣ）アンテナまたは近距離無線通信システム（ＮＦＣ）の代替動作モードを、好ましくは非標準化動作モードを有効にすることを含む。
【００１２】
さらなる他の実施形態では、第１のプリセット状態または第２のプリセット状態は、データ記憶領域に対するコントローラの無効にされたアクセス可能性を含み、好ましくは、近距離無線通信システム（ＮＦＣ）は、データ記憶領域とは異なるさらなるデータ記憶領域を含み、さらなるデータ記憶領域に対するアクセス可能性が、データ記憶領域に対するアクセス可能性が無効にされたときに有効にされ、さらなるデータ記憶領域に対するアクセス可能性が、データ記憶領域に対するアクセス可能性が有効にされたときに無効にされる。
【００１３】
さらなる実施形態では、第１の感知・切替え装置は、最初の開放時に破断する破断可能な導電性ループを備える。
【００１４】
さらなる他の実施形態では、第１の感知・切替え装置は、近距離（ＮＦＣ）アンテナに並列に接続される破断可能な導電性ループを備え、アパーチャの最初の開放によって破断可能な導電性ループを破断するように配設される。
【００１５】
他の実施形態では、破断可能な導電性ループは、電子構成部品、または破断可能な導電性ループにおいてループ状にされた１つを超える電子構成部品で構成された回路を備え、電子構成部品または回路により、近距離無線通信（ＮＦＣ）規格によって提案される範囲外、好ましくはＮＦＣ範囲外の領域にある、近距離（ＮＦＣ）アンテナの共鳴周波数をシフトする。
【００１６】
さらに他の実施形態では、破断可能な導電性ループは、破断可能な導体の１つまたは複数の巻線、好ましくは補助近距離(ＮＦＣ)アンテナを形成する複数の巻線を含む。
【００１７】
さらなる他の実施形態では、第１の感知・切替え装置は、一端で、データ記憶領域および／またはさらなるデータ記憶領域の選択接続ラインに、好ましくはデータ記憶領域および／またはさらなるデータ記憶領域のアドレス接続ラインに接続され、最初の開放によって破断可能な導電性ループを破断するように配設された、破断可能な導電性ループを備える。
【００１８】
さらなる実施形態では、第２の感知・切替え装置は、容器内部からの最初の取出し動作によってのみ取出しイベントを始動するように、または容器内部からの最初の取出し動作およびその後のいずれかの取出し動作それぞれによって取出しイベントをそれぞれ始動するように構成される。
【００１９】
さらなる他の実施形態では、第２の感知・切替え装置は、近距離（ＮＦＣ）アンテナの導体へとループ状にされた接触スイッチを備え、接触スイッチは、取出し動作のために機械的力が掛けられると回路を閉路するように構成される。
【００２０】
さらなる他の実施形態では、第２の感知・切替え装置は、データ記憶領域および／またはさらなるデータ記憶領域の選択接続ラインに、好ましくはデータ記憶領域および／またはさらなるデータ記憶領域のアドレス接続ラインに接続される接触スイッチを備え、接触スイッチは、取出し動作のために機械的力が掛けられると回路を閉路または開路するように構成される。
【００２１】
他の実施形態では、収容装置は、さらなる導体によって形成されるさらなる近距離（ＮＦＣ）アンテナを含むさらなる近距離（ＮＦＣ）通信システムを含む、さらなる無線通信システムをさらに備える。収容装置は、さらなる無線通信システムの操作可能性を有効にするプリセット状態を含むように構成された、第３の感知・切替え装置も備え、第３の感知・切替え装置は、最初の開放イベントまたは取出しイベントの際にそのプリセット状態を、好ましくは不可逆的に解除するように構成され、好ましくは、第３の感知・切替え装置は、最初の開放または取出しによってさらなる破断可能な導電性ループを破断するように配設された、さらなる破断可能な導電性ループを備える。
【００２２】
さらに他の実施形態では、収容装置は、無効にされた操作可能性のプリセット状態を含むように構成された、第２の無線通信システムをさらに備え、第１の無線通信システムは、主要動作モードのとき、第２の無線通信システムのプリセット状態を解除するように構成され、好ましくは、第１の無線通信システムは、第２の無線通信システムのプリセット状態を不可逆的に、または第１の無線通信システムによって決定される期間の間だけ、または主要動作モードが有効にされる期間の間だけ、解除するように構成される。
【００２３】
さらなる実施形態では、第２の無線通信システムは、ＩＥＥＥ  ８０２．１１（無線ＬＡＮ）システム、またはデジタルマルチプレクサ（ＤＭＸ）インターフェースシステム、またはデジタル調光照明インターフェース（ＤＡＬＩ）システム、またはＺｉｇＢｅｅ（登録商標）システム、または好ましくはブルートゥース（登録商標）ローエナジー（ＢＴＬＥ）システムとして構成されたブルートゥースシステムのうち少なくとも１つを含む。
【００２４】
さらなる他の実施形態では、収容装置はエネルギー蓄積素子をさらに備え、第２の無線通信システムは、エネルギー蓄積素子によって電力供給されるように構成される。
【００２５】
さらなる実施形態では、少なくとも第１の無線通信システムは、ＲＦＩＤラベルを形成するキャリア層上に置かれる。
【００２６】
本開示の別の態様では、好ましくは医薬品向けの、収容装置の無線通信システムを操作する方法が提供される。収容装置は、容器本体と、近距離無線通信システム（ＮＦＣ）で構成された第１の無線通信システム（２１０）とを有する。第１の感知・切替え装置は、第１の無線通信システムの主要動作モードを無効にする第１のプリセット状態を含み、および／または第２の感知・切替え装置は、第１の無線通信システムの主要動作モードを無効にする第２のプリセット状態を含み、方法は、好ましくは容器本体（１１０）のアパーチャ（１２６）の一番最初の開放によって始動される最初の開放イベントの際に、好ましくは不可逆的に、第１の感知・切替え装置（１４３）の第１のプリセット状態を解除すること、および／または取出しイベントの際に、第２の感知・切替え装置（２８０）の第２のプリセット状態を解除することを含む。
【００２７】
本発明またはその実施形態の他の態様、目的および利点は、以下の図面と併せて詳細な説明を読むことによって明白となるであろう。
【００２８】
図面中、類似の参照符号は、一般に、異なる図を通じて同じ部品を指す。図面は必ずしも縮尺通りではなく、その代わり、一般に、基礎となる原理を例証することに重点が置かれている。
【図面の簡単な説明】
【００２９】
【図１】ＲＦＩＤラベルを蓋上に保持している、封止状態および開放状態それぞれのケースを示す概略図である。
【図２】図２Ａは、導電性ループを備えたＲＦＩＤラベルを示す概略図である。図２Ｂは、コンデンサなどの受動電子構成部品を含む導電性ループを備えたＲＦＩＤラベルを示す概略図である。図２Ｃは、導電性ループおよび圧力作動式スイッチを備えたＲＦＩＤラベルを示す概略図である。
【図３】図３Ａは、一端に分離可能なカバーを、他端に起動ボタンまたは指示ボタンを備えた、ほぼ円筒形状の薬剤注射器デバイスを示す概略図である。図３Ｂは、注射器デバイスの起動ボタンを示す概略図である。
【図４】高性能容器の再有効な通信装置を示す概略図である。
【図５】第１のＮＦＣシステムおよびさらなるＮＦＣシステムの構造的要素を示す概略ブロック図である。
【図６】切替え可能なデータ記憶領域を有する第１のＮＦＣシステムの構造的要素を示す概略ブロック図である。
【発明を実施するための形態】
【００３０】
以下の詳細な説明は、本発明が実施され得る特定の詳細および実施形態を例証として示す、添付の図面を参照する。
【００３１】
「例示の」という語は、本明細書では、「例、事例、または実例としての役割を果たす」ことを意味するのに使用される。「例示」として本明細書に記載するいずれの実施形態または設計も、他の実施形態または設計よりも好ましいかもしくは有利であるものと必ずしも解釈されない。
【００３２】
ある面または表面「の上」に形成される堆積材料に関して使用される「〜の上」という語は、本明細書では、示唆される面または表面「上に直接」、例えばそこと直接接触して堆積材料が形成されてもよいことを意味するのに使用されてもよい。ある面または表面「の上」に形成される堆積材料に関して使用される「〜の上」という語は、本明細書では、示唆される面または表面と堆積材料との間に１つもしくは複数の追加層が配置されて、示唆される面または表面「上に間接的に」堆積材料が形成されてもよいことを意味するのに使用されてもよい。
【００３３】
図１は、閉鎖状態および開放状態それぞれの単純な収容装置１００を概略図で示している。収容装置１００は、普通の畝状の厚紙であってもよく、また安全な貯蔵および搬送のために多数のパッケージまたは流体レセプタクルを内部に収容することができる、立方体ケース１１０（以下、ケース１１０と称する）などの容器本体を含む。ケース１１０は、ケース１１０の縁部１３０の１つに沿って角度を付けられ、それとともにケース１１０の蓋１２５としての役割を果たす上面１２０を含み、蓋１２５は、ケース１１０のアパーチャ１２６が好ましくは再閉鎖可能であるように、ケース１１０のアパーチャ１２６を閉じる。
【００３４】
蓋１２５は、蓋１２５の角度を付けられた側とは反対側の縁部の上を、蓋１２５の表面からケース１１０の前側壁１５０まで下向きに延在する、ＲＦＩＤラベル１４０を保持する。ＲＦＩＤラベル１４０は、長方形のキャリア層１４２上に複数の入れ子状の巻線の形で配置された導体１４５によって形成された、ＮＦＣアンテナ１４１を備えたＮＦＣシステムを含み、それについては以下の図面と関連してさらに詳細に記載する。
【００３５】
ＲＦＩＤラベル１４０は、第１の感知・切替え装置を表し、キャリア層１４２によってやはり保持され、対向する端部部分を有する長手方向の延長部を有する、破断可能な導電性ループ１４３をさらに含む。ＲＦＩＤラベル１４０は、対向する端部部分のうち一方が蓋１２５の表面上に配置され、他方が前側壁１５０上に配置されるようにして、ケース１１０に固着される。
【００３６】
ＲＦＩＤラベル１４０はケース１１０に固着されており、それによって、ケース１１０を充填し蓋１２５を閉じた後にケースを封止しているので、破断可能な導電性ループ１４３は、図の左側によって示されるように破断されていない。破断可能な導電性ループ１４３は、図の右側によって示されるように、蓋１２５を持ち上げることによってケース１１０が封止後に最初に開放されるまで、破断されないままである。
【００３７】
そのようにしてアパーチャ１２６を一番最初に開放して、破断可能な導電性ループ１４３を破断することは、最初の開放イベントであり、それによって、容器の状態が開放されていない状態から開放状態へと不可逆的に移行する。
【００３８】
図２Ａは、任意の容器に、例えば前の図面に示されているようなケース１１０に取り付けられてもよい、ＲＦＩＤラベル１４０を示している。ＲＦＩＤラベル１４０は、近距離無線通信（ＮＦＣ）アンテナ１４１（以下、ＮＦＣアンテナ１４１と称する）と、電子ＮＦＣデバイス２１０とによって構成され、両方とも、長手方向に延在する長方形のキャリア層１４２の一端２２０の領域に配設される。以下、ＮＦＣシステムおよび電子ＮＦＣデバイスという用語が同義語として使用される限りにおいて、電子ＮＦＣデバイス２１０はＮＦＣシステム（２１０）を完全に表すように取り扱われることに留意されたい。
【００３９】
ＮＦＣアンテナ１４１を形成する導体１４５は、長方形であってもよい内周の周りに、１つまたは複数の入れ子状の巻線の形で配置されている。導体１４５は、入れ子状の巻線の内周に位置する第１の端部２３０と、外周に位置する第２の端部２４０とを含む。導体１４５の第１の端部２３０および第２の端部２４０は両方とも、長方形のキャリア層１４２の一端２２０の反対側に位置する。
【００４０】
第１の端部２３０は、導体１４５の第２の端部２４０が配置されている側の巻線を橋絡する橋絡素子２５０に電気的に接続され、それによって導体１４５の両方の端部２３０、２４０が外周で互いの近くで電気的にアクセス可能である。
【００４１】
電子ＮＦＣデバイス２１０は、外周に配置され、橋絡素子２５０を介して導体１４５の第１の端部２３０に、また導体１４５の第２の端部２４０に電気的に接続される。
【００４２】
第１の感知・切替え装置を表す破断可能な導電性ループ１４３はまた、キャリア層１４２の上に配置され、電子ＮＦＣデバイス２１０から、長方形のキャリア層１４２の一端２２０とは長手方向で反対側である、長方形のキャリア層１４２の別の端部まで延在する。
【００４３】
電子ＮＦＣデバイス２１０と長方形のキャリア層１４２の他端との間の領域において、図案化した鋏と組み合わせて図面に示されている破線の切断線２６０は、ＲＦＩＤラベル１４０をその一部が前側壁１５０上に延在している状態で蓋１２５の表面上に位置させることができる方法の推奨であるものとして理解されたい。破線の切断線２６０は、蓋１２５の前縁部と位置合わせされるものと推測され、それによって、蓋１２５が開放されたとき、ＲＦＩＤラベル１４０が、また続いて破断可能な導電性ループ１４３が、破線の切断線２６０に沿って切断される。
【００４４】
破断可能な導電性ループ１４３は、基本的に、２つの並列の導体経路で構成され、それらの一端でそれぞれ電子ＮＦＣデバイス２１０に接続され、それぞれの他端で互いに対して接続される。それぞれの他端は、電子ＮＦＣデバイス２１０の遠位側に置かれる。
【００４５】
破断可能な導電性ループ１４３は、それとともに、ＮＦＣアンテナ１４１を形成する導体１４５に並列に接続される。したがって、破断可能な導電性ループ１４３は、破断されない限り、低抵抗の短絡回路をＮＦＣアンテナ１４１に提供している。
【００４６】
結果として得られる作用として、ＮＦＣアンテナ１４１は、ＮＦＣ電子デバイス２１０にエネルギーを提供できなくなり、それによって結果的に、ＮＦＣリーダ／ライタ（図示なし）によって実施される読取りまたは書込みの試行によるアクセスが不能になる。換言すれば、プリセット状態では、ＮＦＣアンテナ１４１の操作可能性は完全に無効にされ、ＮＦＣ通信は実施できない。
【００４７】
アパーチャ１２６の一番最初の開放が行われるときなど、最初の開放イベントの際、プリセット状態は解除され、つまりプリセット状態が終わり、ＮＦＣアンテナ１４１が有効になり、それとともにＮＦＣ電子デバイス２１０がＮＦＣ規格によるデバイスの最大操作可能性を獲得し、それがデバイスの主要な操作可能性であり、または換言すれば、ＮＦＣ電子デバイス２１０の主要動作モードである。
【００４８】
開示全体を通して、「解除する」という用語は、制限を含むことがある初期状態が終わり、それに続いて初期状態の制限を含まない別の状態が有効になるという意味で、「管理解除する」という用語と等価として使用される場合がある。
【００４９】
導電性ループ１４３の破断は、最初の開放イベントを電子的に認識し、即ち感知し、それに反応する、例えばオンにする、複雑ではない例である。詳細には、最初に、破断可能な導電性ループ１４３の破断が感知され、次に、ＮＦＣアンテナ１４１またはＮＦＣデバイス２１０が有効にされ、例えばオンにされる。特定の実施形態では、感知手段が切替え手段とは別個である、より複雑な装置が提供されてもよいことに留意されたい。しかしながら、説明を簡単にするため、反応、例えば切替えによって、例えば破断可能な導電性ループ１４３の破断の感知が再開されるので、感知の態様については本明細書全体を通してほとんど無視されている。いずれにしても、導電性ループ１４３の破断は、通信アクセス可能性を始動する有効化運動量と見なすことができる。
【００５０】
上述したＲＦＩＤラベル１４０の一実施形態では、破断可能な導電性ループ１４３によって例示的に表される、第１の感知・切替え装置のプリセット状態は、ＮＦＣシステムの非標準化動作モードを有効にすることを含む。したがって、破断可能な導電性ループ１４３が破断されていないときでもなお、非標準化通信が実施可能である。非標準化通信の場合、修正された非ＮＦＣ標準化リーダ／ライタ（図示なし）が他の特性を超えて調節されて、ＮＦＣアンテナ１４１を短絡している破断可能な導電性ループ１４３を通して、記載したＲＦＩＤラベル１４０上の電子ＮＦＣデバイス２１０に電力供給するのに十分な、極磁界強度を提供する。
【００５１】
さらなる実施形態では、破断可能な導電性ループ１４３自体が、１つを超える入れ子状の巻線を有するＮＦＣアンテナとして配置され、それが、非ＮＦＣ標準化リーダ／ライタ（図示なし）による、ＲＦＩＤラベル１４０上のＮＦＣデバイス２１０に対するアクセス可能性を改善する助けとなることがある。破断されていない破断可能な導電性ループ１４３は並列にＮＦＣアンテナ１４１に接続されるので、破断可能な導電性ループ１４３は、それ自体がアンテナとして配置されているとき、並列接続されたＮＦＣアンテナ１４１との組み合わせで、非ＮＦＣ標準化リーダ／ライタ（図示なし）によるＮＦＣデバイス２１０に対するアクセスを可能にしてもよい、一種のＮＦＣアンテナを形成してもよい。
【００５２】
このように、棚から取り出したＲＦＩＤラベルを使用することができ、ＲＦＩＤラベルの作成前の書込みプロセスが不要なので、製造およびパッキング中の、破断されていない破断可能な導電性ループ１４３を有するＲＦＩＤラベル１４０に対するデータの書込みが容易になる。
【００５３】
図２Ｂは、任意の容器に、例えば図１に示されているようなケース１１０に代替的に取り付けられてもよい、ＲＦＩＤラベル１４０を示している。ＲＦＩＤラベル１４０は、前の図面のうち１つに非常に類似した形で構成されているので、その説明に関しては、冗長さを回避するために、図２Ａに関連して提供されたものの大部分を参照することができる。
【００５４】
図示されたＲＦＩＤラベル１４０は、その破断可能な導電性ループ１４３が電気的に一貫しているという点でのみ、上述したものとは異なる。上述した破断可能な導電性ループ１４３の構造に加えて、ＲＦＩＤラベル１４０の破断可能な導電性ループ１４３はここではコンデンサ２７０を含む。したがって、ＮＦＣアンテナ１４１は、破断可能な導電性ループ１４３が破断されたとき、コンデンサ２７０によって、正確には、破断可能な導電性ループ１４３のオーム抵抗、コンデンサ２７０、および破断可能な導電性ループ１４３の反応構成要素で構成される直列接続によって短絡される。
【００５５】
ＮＦＣアンテナ１４１に対するかかる並列接続によって、ＲＦＩＤラベル１４０上のＮＦＣアンテナ１４１の共鳴周波数が元の周波数から離れてシフトするが、それは良好な結合のために、１３．５６ＭＨｚのＮＦＣ標準化搬送周波数に少なくとも近接した周波数であるべきである。結論として、ＲＦＩＤラベル１４０上のＮＦＣ実体と、国際規格にしたがって働くＮＦＣリーダ／ライタ（図示なし）との通信は、破断可能な導電性ループ１４３が破断されない限り阻害される。
【００５６】
しかしながら、ＲＦＩＤラベル１４０を保持するように定められた容器、例えば図１に示されるようなケース１１０の、充電およびパッケージングの過程で使用されてもよい、修正された非ＮＦＣ標準化リーダ／ライタ（図示なし）は、ＲＦＩＤラベル１４０の破断可能な導電性ループ１４３のコンデンサ２７０によって生じる、シフトされた非標準化共鳴周波数を調節することが可能になる。それとともに、非ＮＦＣ標準化リーダ／ライタは、ＲＦＩＤラベル１４０上の電子ＮＦＣデバイス２１０にエネルギーを供給し、書込みおよび／または読取り動作を実施することが可能になる。
【００５７】
破断可能な導電性ループ１４３が破断されるとすぐに、つまり破断可能な導電性ループ１４３によって例示的に表される第１の感知・切替え装置のプリセット状態が解除されると、即ち停止されると、ＲＦＩＤラベル１４０上のＮＦＣシステムはその主要動作モードを獲得し、標準化されたＮＦＣリーダ／ライタ（図示なし）によってアクセス可能になる。
【００５８】
コンデンサ２７０は、上述した実施形態の意味においてＮＦＣアンテナ１４１の共鳴周波数の変化をもたらす、あらゆる電子構成部品または電子構成部品の任意のアセンブリの単なる一例として見なされるものであることに言及すべきである。
【００５９】
図２Ｃは、任意の容器に、例えば図１に示されているようなケース１１０に代替的に取り付けられてもよい、ＲＦＩＤラベル１４０を示している。ＲＦＩＤラベル１４０は、前の図面に非常に類似した形で構成されているので、その説明に関しては、冗長さを回避するために、図２Ａおよび／または図２Ｂに関連して提供されたものの大部分を参照することができる。
【００６０】
ＲＦＩＤラベル１４０は、圧力作動式スイッチ２８０によって例示的に表される、第２の感知・切替え装置２８０の上述したＲＦＩＤラベルと区別され、ＲＦＩＤラベル１４０は第１の感知・切替え装置１４３を必ずしも有さなくてもよい。
【００６１】
第２の感知・切替え装置２８０は、概して、容器本体の内部に収容された固体物質または液体に対するアクセスが行われるまで、換言すれば取出しまたは送達が行われるまで、ＮＦＣシステム２１０の主要動作モードを無効にする役割を果たす。それにより、一番最初のアクセスによって、それ以降維持される主要動作モードを有効にするか否か、または各アクセスごとに、アクセス動作が完了すると終了する主要動作モードを有効にするか否かが、必要に応じて決まる。
【００６２】
提供される例では、圧力作動式スイッチ２８０（以下、スイッチ２８０と称する）は、常時開接点タイプのものであり、ＮＦＣアンテナ１４１を形成する導体１４５へとループされる。スイッチ２８０は、好ましくは、キャリア層１４２上のＮＦＣアンテナ１４１の外周に配置される。スイッチ２８０上に向けられた矢印によって図面中で記号化されている圧力を掛けると、スイッチの接点が閉じ、即ちスイッチ２８０のプリセット状態が解除され、それとＮＦＣアンテナ１４１の導体１４５とが接続され、結果としてＮＦＣアンテナ１４１が動作可能になる。
【００６３】
スイッチ２８０は、例えば、様々な修正が当該分野において知られている、基板接点設計によって実現することができる。かかる基板接点設計は、共通の面上に、例えばキャリア層１４２上に両方とも配置された２つの隣接した導体経路で原則的に構成され、それによって導電素子が隣接した接点経路の両方と同時に接触するようにされて、スイッチ２８０を閉じる。
【００６４】
スイッチ２８０を備えたＲＦＩＤラベル１４０は、スイッチ２８０が起動されるまで機能しないように、即ちＮＦＣリーダ／ライタ（図示なし）と通信しないようにされる。スイッチ２８０は、プリセット状態（例えば、オフ状態）と、それに続く、圧力の行使が終わった場合であっても維持される起動後の状態（例えば、オン状態）とを有する、オフオンスイッチタイプのものであることができる。スイッチ２８０はまた、押しボタンタイプのものであることができ、その場合のスイッチ２８０は、圧力の行使によってスイッチ２８０が起動されている間だけ、以下の状態をとる。その押しボタンタイプのスイッチ２８０によって、取出し動作が実施されるときの、容器からの各取出し動作、即ち送達動作の間の通信が可能になり、それによって適時の追跡が可能になり、さらに、容器が空になるまでに何回の取出し動作が利用可能かを追跡することが可能になる。
【００６５】
第２の感知・切替え装置２８０は、特に、第１の感知・切替え装置１４３が提供されない場合、第１の感知・切替え装置１４３に関して記載したような非標準化動作モードとしての、代替動作モードを有効にするプリセット状態も含んでもよい。上述のタイプおよび実施形態のいずれかによる、第１および第２の切替え装置１４３、２８０の両方を備えたＲＦＩＤラベル１４０の場合、取出し動作によるスイッチ２８０の起動は、ＲＦＩＤラベル１４０をＮＦＣリーダ／ライタ（図示なし）と通信するように動作可能にするために、（例えば、破断可能な導電性ループ１４３の破断によって認識される）最初の開放イベントに加えて起こるべきさらなるイベントであってもよい。
【００６６】
しかしながら、異なるプリセット状態を第１および第２の感知・切替え装置１４３、２８０に提供するのが適切なこともあり、例えば、第１の感知・切替え装置１４３のプリセット状態は、ＮＦＣシステム２１０の完全に無効にされた動作可能性を含んでもよく、第２の感知・切替え装置２８０のプリセット状態は、ＮＦＣシステム２１０の有効にされた非標準化動作モードを含んでもよい。
【００６７】
図３Ａは、液体医薬品を収容するものと考えられる、容器の一例としての、自己注射器デバイス３００の２つの状態を示している。自己注射器デバイス３００（以下、自己注射器３００と称する）は、基本的に円筒形状を有し、頂部カバー部分３１０と底部カバー部分３２０とを有する。
【００６８】
頂部カバー部分３１０は、円筒の軸線に沿って底部カバー部分３２０に向かう方向に向けられた圧力を行使すると、自己注射器３００を起動する、起動部として解釈される。底部カバー部分３２０は、注射針（図示なし）を包む接触チューブ３４０を保護し、自己注射器デバイス３００のアパーチャを閉鎖している、取外し可能な保護キャップ３３０を含む。
【００６９】
自己注射器３００はＲＦＩＤラベル１４０を外表面上に保持しており、ＲＦＩＤラベル１４０は、電子ＮＦＣデバイスおよびＮＦＣアンテナ（両方とも図示なし）とは別に、破断可能な導電性ループ１４３によって表される第１のスイッチ装置１４３と、キャリア層１４２上に配置されたスイッチ（図示なし）によって表される第２の感知・切替え装置とを含む。
【００７０】
破断可能な導電性ループ１４３は、底部カバー部分３２０にある保護キャップ３３０上に延在し、自己注射器３００を最初に開放するときに保護キャップ３３０が取り外されると破断される。スイッチは、頂部カバー部分３１０の作動部に挿入される、キャリア層１４２の延長部３５０上に置かれる。
【００７１】
図３Ｂは、前の図面に示された自己注射器３００の頂部カバー部分３１０にある作動部を詳細斜視図で示している。作動部は、トリガ構成要素３６０と下方に配置されているアンビル構成要素３７０とで構成される。両方とも基本的に円板状であり、互いに平行に配置され、それぞれの中心点が円筒軸に配向されている。
【００７２】
トリガ構成要素３６０とアンビル構成要素３７０との間には、キャリア層１４２の延長部３５０が配設され、延長部３５０は、中心点の周りに位置するスイッチ２８０の基板接点を保持している。アクチュエータ構成要素３８０は、トリガ構成要素３６０とキャリア層１４２の延長部３５０との間に配設され、スイッチ２８０上に位置する。
【００７３】
自己注射器３００を起動して用量を送達するのに、即ち取り出すのに必要な圧力は、トリガ構成要素３６０に掛けられる。圧力は、トリガ構成要素３６０からアクチュエータ構成要素３８０に運ばれ、それがＲＦＩＤラベル１４０のスイッチ２８０をアンビル構成要素３７０に対して圧迫することによって、スイッチ２８０が閉じられる。
【００７４】
上記では、自己注射器３００を起動して送達させるのに圧力が必要であると説明されているが、圧力は、トリガ構成要素３６０の頂部に必ずしも加えられる必要はない。別の方法として、例えば、自己注射器３００をその外壁で持つことによって加えられてもよい。そのような場合、トリガ構成要素３６０は、スイッチ２８０が閉じた結果として作動されたとき、指示目的でのみ使用されてもよい。その種の実施形態では、トリガ構成要素３６０は最初の送達の過程で作動させられるべきであり、その後、スイッチ２８０は恒久的に閉じたままである。図４は、液体医薬品を収容した注射器などの再有効なモジュールとして非常に複雑な収容装置（図示なし）に統合されてもよく、センサ（例えば、温度センサ、加速度センサ、圧力センサ）およびリアルタイムクロックデバイスとしての多数の測定手段をさらに備え、またさらにはセンサおよびリアルタイムクロックデバイスから提供されるデータを収集するマイクロコントローラを備える、通信装置４００の一実施形態を概略斜視図で示している。
【００７５】
通信装置４００は、第１の無線通信システムとして、例えば円筒状／管状容器のシールの一部である、円板状プレート４１０に収納された電子ＮＦＣデバイス２１０に接続される、ＮＦＣアンテナ１４１を有するＮＦＣシステム２１０を含む。
【００７６】
第１の無線通信システム２１０に加えて、第２の無線通信システム４３０も円板状プレート４１０に収納される。いくつかの実施形態によれば、第２の無線通信システム４３０は、例えば、（１）デジタルマルチプレクサ（ＤＭＸ）インターフェースプロトコル、（２）ＩＥＥＥ  ８０２．１１（Ｗｉ−Ｆｉ）プロトコル、（３）ブルートゥースプロトコル、（４）デジタル調光照明インターフェース（ＤＡＬＩ）プロトコル、（５）ＺｉｇＢｅｅプロトコル、および／または（６）それらのうち任意の１つもしくは複数の組み合わせを含む、広範囲の無線通信プロトコルのうちいずれかを利用して、通信するように構成されてもよい。さらなる実施形態では、第１の無線通信システムは、システムオンチップとして利用可能な、ブルートゥースローエナジーシステム（ＢＴＬＥ）である。
【００７７】
通信装置４００は、現在のＮＦＣシステムとは異なり、また場合によってはＮＦＣシステムよりも能力がある通信タイプのものである、別のシステムの自動作動を可能にする、ＮＦＣ通信の標準化プロトコルの形で提供される特徴を利用するようにされてもよい。
【００７８】
この特徴に基づいて、電子ＮＦＣデバイス２１０およびＮＦＣアンテナ１４１で構成されるＮＦＣ実体は、ＮＦＣリーダ／ライタ（図示なし）と通信しているとき、プレート４１０に収納された第２の無線通信システム４３０、例えば上述したブルートゥースローエナジーシステムを起動させることができるようになる。プレート４１０に収納されたブルートゥースシステムの起動の過程で、ブルートゥースシステムは、ブルートゥース範囲内で到達可能な別のブルートゥースシステム（図示なし）とのペアリングを要求する。
【００７９】
第２の無線通信システム４３０（以下、ブルートゥースローエナジーシステムによって表される）の電源に関して、エネルギー貯蔵素子４２０（プレート４１０の上に破線で示される）が設けられる。エネルギー貯蔵素子４２０は、ＮＦＣシステム２１０によるブルートゥースローエナジーシステム４３０の起動の過程で、ブルートゥースローエナジーシステム４３０の電源ピン（図示なし）に接続される、電池、コンデンサ、またはアキュムレータであってもよい。
【００８０】
ブルートゥースローエナジーシステム４３０の電源ピンに対するエネルギー貯蔵素子４２０の接続は、電子ＮＦＣデバイス２１０によって起動可能なパワーオンスイッチ（図示なし）によって達成されてもよい。パワーオンスイッチは、電子ＮＦＣデバイス２１０に統合されてもよい。
【００８１】
ブルートゥースまたは無線ＬＡＮとしての高性能無線システムによって、ＮＦＣシステムよりもはるかに広い通信範囲が可能になるが、それらの電源に関する要求も高くなる。この意味で、ＮＦＣシステムは、第２の無線通信システムが必要なときのみ有効にされるように処理してもよく、それによってエネルギー貯蔵素子４２０の持続性が改善される。さらに、ＮＦＣシステムによってのみ、第２の無線通信システムが作動させられる、即ち有効にされるので、セキュリティが大幅に改善される。
【００８２】
代替実施形態は、基本的に、第１および／または第２の感知・切替え装置にしたがって、第２の無線通信システムを有効にするように構成されてもよい、追加の感知・切替え装置を提供してもよい。追加の感知・切替え装置はさらに、ＮＦＣシステムによって有効にするのとは独立して、またはそれと併せてのみ、第２の無線通信システムの動作を可能にするように構成されてもよい。
【００８３】
現在利用可能なＮＦＣシステムは比較的単純に保たれているので、高性能な処理能力は有していない。しかしながら、それらの能力は、他の無線通信システムによって、例えば、高性能な機能、解析、および暗号法も可能にする、上述したようなブルートゥースおよびＷｉＦｉシステムによって提供することができる。
【００８４】
図５は、第１の通信システム２１０に加えて提供されるさらなる無線通信システム５２０を含み、第１の通信システム２１０およびさらなる通信システム５２０がそれぞれ、それぞれのＮＦＣシステム２１０、５１０によって表される、一実施形態の構造を概略ブロック図で示している。さらなる無線通信システム５２０は、それに加えて、上述した実施形態のいずれかに含まれてもよく、最初の開放イベントおよび／または取出しイベントが行われる前に標準化された通信を可能にし、好ましくはその後無効にされる、通信システムとしての役割を果たす。
【００８５】
この意味で、実施形態は、最初の開放イベントおよび／または取出しイベントが起こる前の、例えばＲＦＩＤラベル１４０上に位置する、ＮＦＣシステム２１０との通信に関する解決策を提供し、それにより、最初の開放イベントおよび／または取出しイベントが起こる前に電子ＮＦＣデバイス５１０に書き込まれたあらゆるデータは、最初の開放イベントおよび／または取出しイベント後、標準化された通信によってアクセス不能である。換言すれば、第１の通信システム２１０およびさらなる通信システム５２０のうち１つのみが、任意の時点で有効にされる主要動作モードを有する。
【００８６】
図面の右側は、図１ならびに図２Ａ、図２Ｂ、および図２Ｃに関して既に記載したような、第１の無線通信システム２１０の基本要素、特に電子ＮＦＣデバイス２１０と、ＮＦＣアンテナ１４１と、ＮＦＣアンテナ１４１に並列に接続された破断可能な導電性ループ１４３によって表される第１の感知・切替え装置１４３、２８０とを示している。図示される実施形態は第１の感知・切替え装置１４３に関連するが、第２の感知・切替え装置２８０に対して実現されるように簡単に修正することができる。
【００８７】
図面の左側は、さらなる電子ＮＦＣデバイス５１０と、さらなるＮＦＣアンテナ５３０と、さらなる破断可能な導電性ループ５４０によって表される第３の感知・切替え装置５４０とを含む、さらなるＮＦＣシステム５１０によって表される、さらなる無線通信システム５２０の基本要素を示している。さらなる破断可能な導電性ループ５４０は、さらなるＮＦＣアンテナ５３０と直列で接続される。破断可能な導電性ループ１４３、５４０は両方とも互いに近接して配置されて、破断可能な導電性ループ１４３、５４０のいずれかの破断が他方にも影響することが確保される。
【００８８】
図６は、最初の開放イベントおよび／または取出しイベントが起こる前に電子ＮＦＣデバイス２１０に書き込まれたデータが、最初の開放イベントおよび／または取出しイベント後に通信によってアクセス不能になることを確保する、代替のより安価な解決策を提供する、一実施形態の構造を単純な概略ブロック図で示している。
【００８９】
図面は、図１ならびに図２Ａ、図２Ｂ、および図２Ｃに関して基本的に記載したような第１の無線通信システム２１０の基本要素、特に電子ＮＦＣデバイス２１０と、ＮＦＣアンテナ１４１と、破断可能な導電性ループ１４３によって表される第１の感知・切替え装置１４３とを示している。図示される実施形態は第１の感知・切替え装置１４３に関連するが、第２の感知・切替え装置２８０に対して実現されるように簡単に修正することができる。
【００９０】
電子ＮＦＣデバイス２１０を詳細に見てみると、アナログおよびデジタルプロセッサ（図示なし）を含むコントローラ部６００と、アドレス接続ライン６３０およびデータ接続ライン６２０を有するデジタルデータ記憶部６１０と、コントローラ部６００およびデータ記憶部６１０に直流を供給する電源部６６０とが示されている。直流は、誘導を通してＮＦＣアンテナ１４１によって受信される電流から発生する。
【００９１】
コントローラ部６００は、マイクロコントローラと見なすことができ、複数のアドレス接続ライン６３０および複数のデータ接続ライン６２０によって、データ記憶部２１０に接続される。アドレス接続ライン６３０のうち１つのアドレス接続ライン６５０、好ましくは、データ記憶部２１０内のデータ記憶領域のバイナリアドレス指定に使用される全てのビットのうち最上位ビットを保持する最上位アドレス接続ラインは、プルアップ抵抗６４０を介して、電源部６６０によって提供される正電位に接続される。破断可能な導電性ループ１４３は、その一端でアドレス接続ライン６５０に、他端で電源部６６０によって提供される接地電位に接続される。
【００９２】
最上位アドレス接続ラインは、データ記憶領域を第１および第２のデータ記憶領域６８０、６７０に区別するのに使用されるので、最上位アドレス接続ラインは、第１または第２のデータ記憶領域６８０、６７０のどちらかを有効にする、選択接続ライン６５０と見なすことができる。
【００９３】
破断可能な導電性ループ１４３が破断されない限り、電源部６６０からの接地電位はアドレス接続ライン６５０に供給され、それによって第１または第２のデータ記憶領域６８０、６７０のうち１つが選択される。破断可能な導電性ループ１４３が破断されると、電源部６６０の正電位は、プルアップ抵抗６４０を介してアドレス接続ライン６５０に供給され、それによって、第１および第２のデータ記憶領域６８０、６７０のうち、以前に破断可能な導電性ループ１４３が破断されていないときには選択されていなかった方の、データ記憶領域が選択される。
【００９４】
本発明について特定の実施形態を参照して特に図示し記載してきたが、添付の特許請求の範囲によって定義されるような本発明の趣旨および範囲から逸脱することなく、形態および詳細の様々な変更が行われてもよいことが、当業者には理解されるべきである。このように、本発明の範囲は添付の特許請求の範囲によって示され、したがって、特許請求の範囲の等価の意味および範囲内にある全ての変更が包含されるものとする。
【符号の説明】
【００９５】
１００  収容装置
１１０  ケース
１２０  上面
１２５  蓋
１２６  アパーチャ
１３０  縁部
１４０  ＲＦＩＤラベル
１４１  ＮＦＣアンテナ
１４２  キャリア層
１４３  導電性ループ
１４５  導体
１５０  前側壁
２１０  電子ＮＦＣデバイス
２２０  一端
２３０  第１の端部
２４０  第２の端部
２５０  橋絡素子
２６０  切断線
２７０  コンデンサ
２８０  スイッチ
３００  自己注射器
３１０  頂部カバー部分
３２０  底部カバー部分
３３０  保護キャップ
３４０  接触チューブ
３５０  延長部
３６０  トリガ構成要素
３７０  アンビル構成要素
３８０  アクチュエータ構成要素
４００  通信装置
４１０  プレート
４２０  エネルギー貯蔵素子
４３０  第２の無線通信システム
５１０  ＮＦＣデバイス
５２０  無線通信システム
５３０  ＮＦＣアンテナ
５４０  導電性ループ
６００  コントローラ部
６１０  データ記憶部
６２０  データ接続ライン
６３０  アドレス接続ライン
６４０  プルアップ抵抗
６５０  １つのアドレス接続ライン
６６０  電源部
６７０  データ記憶領域
６８０  データ記憶領域
【図１】
2019520621.tif 000003
【図２】
2019520621.tif 000004
【図３】
2019520621.tif 000005
【図４】
2019520621.tif 000006
【図５】
2019520621.tif 000007
【図６】
2019520621.tif 000008
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
固体物質または液体を受け入れる内部を備える容器本体（１１０）と、
１つまたは複数の巻線の形で配置された導体（１４５）によって形成された近距離（ＮＦＣ）アンテナ（１４１）、コントローラ（６００）、およびデータ記憶領域（６７０）を含む近距離無線通信システム（ＮＦＣ）で構成された第１の無線通信システム（２１０）と、
第１の感知・切替え装置（１４３）および第２の感知・切替え装置（２８０）と
を備えた収容装置（１００）であって、
前記第１の感知・切替え装置（１４３）が、前記第１の無線通信システム（２１０）の主要動作モードを無効にする第１のプリセット状態を含むように構成され、前記第１の感知・切替え装置（１４３）が、最初の開放イベントの際に、前記第１のプリセット状態を、不可逆的に解除するように構成され、
前記第２の感知・切替え装置（２８０）が、前記第１の無線通信システム（２１０）の前記主要動作モードを無効にする第２のプリセット状態を含むように構成され、前記第２の感知・切替え装置（２８０）が、取出しイベントの際および収容装置（１００）の中身の取出し動作を参照するそれぞれの取出しイベントの持続時間の間のみ、前記第２のプリセット状態を解除するように構成されており、前記容器内部からの最初の取出し動作およびその後のいずれかの取出し動作がそれぞれ前記取出しイベントを始動し、
（i）前記第１のプリセット状態は、前記近距離無線通信システム（ＮＦＣ）の代替動作モードを有効にすることを含み、または
（ii）前記第１のプリセット状態は、前記ＮＦＣシステムの完全に無効にされた操作可能性を含み、前記第２のプリセット状態は、前記近距離無線通信システム（ＮＦＣ）の代替動作モードを有効にすることを含む、前記収容装置（１００）。
【請求項２】
前記第１のプリセット状態または前記第２のプリセット状態が、前記データ記憶領域（６７０）に対する前記コントローラ（６００）の無効にされたアクセス可能性を含む、請求項１に記載の収容装置（１００）。
【請求項３】
前記近距離無線通信システム（ＮＦＣ）が、前記データ記憶領域（６７０）とは異なるさらなるデータ記憶領域（６８０）を含み、前記さらなるデータ記憶領域（６８０）に対するアクセス可能性が、前記データ記憶領域（６７０）に対するアクセス可能性が無効にされたときに有効にされ、前記さらなるデータ記憶領域（６８０）に対するアクセス可能性が、前記データ記憶領域（６７０）に対するアクセス可能性が有効にされたときに無効にされる、請求項２に記載の収容装置（１００）。
【請求項４】
前記第１の感知・切替え装置（１４３）が、前記近距離（ＮＦＣ）アンテナ（１４１）に並列に接続された破断可能な導電性ループ（１４３）を備え、アパーチャ（１２６）の最初の開放によって前記破断可能な導電性ループ（１４３）が破断するように配設され、
前記破断可能な導電性ループ（１４３）が、電子構成部品（２７０）、または前記破断可能な導電性ループ（１４３）においてループ状にされた１つを超える電子構成部品で構成された回路を備え、前記電子構成部品（２７０）または前記回路により、範囲外の領域にある、前記近距離（ＮＦＣ）アンテナ（１４１）の共鳴周波数をシフトする、請求項１に記載の収容装置（１００）。
【請求項５】
前記第１の感知・切替え装置（１４３）が、一端で、前記データ記憶領域（６７０）および／またはさらなるデータ記憶領域（６８０）の選択接続ライン（６５０）に接続された破断可能な導電性ループ（１４３）を備える、請求項２または３に記載の収容装置（１００）。
【請求項６】
前記第２の感知・切替え装置（２８０）が、前記近距離（ＮＦＣ）アンテナ（１４１）の前記導体（１４５）へとループ状にされた接触スイッチ（２８０）を備え、
前記接触スイッチ（２８０）が、取出し動作のために機械的力が掛けられると回路を閉路するように構成されている、請求項１に記載の収容装置（１００）。
【請求項７】
前記第２の感知・切替え装置（２８０）が、前記データ記憶領域（６７０）および／またはさらなるデータ記憶領域（６８０）の選択接続ライン（６５０）に接続された接触スイッチ（２８０）を備え、
前記接触スイッチ（２８０）が、取出しのために機械的力が掛けられると回路を閉路または開路するように構成されている、請求項２または３に記載の収容装置（１００）。
【請求項８】
前記第１のプリセット状態は、前記近距離通信システム（ＮＦＣ）の完全に無効にされた操作可能性を含み、
前記収容装置は、
さらなる導体によって形成されるさらなる近距離（ＮＦＣ）アンテナ（５３０）を含むさらなる近距離(ＮＦＣ)通信システム（５１０）を備えるさらなる無線通信システム（５２０）と、
前記さらなる無線通信システム（５２０）の操作可能性を有効にするプリセット状態を含むように構成された第３の感知・切替え装置（５４０）であって、最初の開放イベントまたは取出しイベントの際にそのプリセット状態を解除するように構成されている前記第３の感知・切替え装置（５４０）と
をさらに備える、請求項１に記載の収容装置。
【請求項９】
前記第３の感知・切替え装置（５４０）が、最初の開放または取出しによってさらなる破断可能な導電性ループ（５４０）を破断するように配設された、前記さらなる破断可能な導電性ループ（５４０）を備える、請求項８に記載の収容装置。
【請求項１０】
無効にされた操作可能性のプリセット状態を含むように構成された第２の無線通信システム（４３０）をさらに備え、
前記第１の無線通信システム（２１０）が、前記主要動作モードのとき、前記第２の無線通信システム（４３０）の前記プリセット状態を解除するように構成されている、請求項１〜９のいずれか１項に記載の収容装置。
【請求項１１】
前記第１の無線通信システム（２１０）が、前記第２の無線通信システム（４３０）の前記プリセット状態を不可逆的に、または、前記第１の無線通信システム（２１０）によって決定される期間の間だけ、または、前記主要動作モードが有効にされる期間の間だけ、解除するように構成されている、請求項１０に記載の収容装置。
【請求項１２】
前記第２の無線通信システム（４３０）が、ＩＥＥＥ  ８０２．１１（無線ＬＡＮ）システム、またはデジタルマルチプレクサ（ＤＭＸ）インターフェースシステム、またはデジタル調光照明インターフェース（ＤＡＬＩ）システム、またはＺｉｇＢｅｅ（登録商標）システム、またはブルートゥース（登録商標）システムのうち少なくとも１つを含む、請求項１０に記載の収容装置（１００）。
【請求項１３】
エネルギー蓄積素子（４２０）をさらに備え、前記第２の無線通信システム（４３０）が、前記エネルギー蓄積素子（４２０）によって電力供給されるように構成された、請求項１０〜１２のいずれか１項に記載の収容装置（１００）。
【請求項１４】
容器本体（１１０）と、近距離無線通信システム（ＮＦＣ）で構成された第１の無線通信システム（２１０）と、前記第１の無線通信システム（２１０）の主要動作モードを無効にする第１のプリセット状態を含む第１の感知・切替え装置（１４３）および前記第１の無線通信システム（２１０）の前記主要動作モードを無効にする第２のプリセット状態を含む第２の感知・切替え装置（２８０）とを有する収容装置（１００）の無線通信システムを操作する方法であって、
最初の開放イベントの際に、不可逆的に前記第１の感知・切替え装置（１４３）の前記第１のプリセット状態を解除するステップ、および
取出しイベントの際および収容装置（１００）の中身の取出し動作を参照するそれぞれの取出しイベントの持続時間の間のみ、前記第２の感知・切替え装置（２８０）の前記第２のプリセット状態を解除するステップ
を含み、
前記容器内部からの最初の取出し動作およびその後のいずれかの取出し動作がそれぞれ前記取出しイベントを始動し、
（i）前記第１のプリセット状態は、前記近距離無線通信システム（ＮＦＣ）の代替動作モードを有効にすることを含み、または
（ii）前記第１のプリセット状態は、前記ＮＦＣシステムの完全に無効にされた操作可能性を含み、前記第２のプリセット状態は、前記近距離無線通信システム（ＮＦＣ）の代替動作モードを有効にすることを含む、前記方法。
【国際調査報告】
2019520621.tif 000009
2019520621.tif 000010
2019520621.tif 000011